(57)【要約】【課題】本発明は、コンピュータホストのマイクロ電池に長時間給電できる電池給電装置を提供することを目的とする。【解決手段】本発明の電池給電装置は、ホストと、ホストに設置された電池支持部材と、電池支持部材に設置されたマイクロ電池と、ファン支持部材と、ファン支持部材に設置されたファン及び電池給電回路と、を備える。ファン支持部材は、ファンを電子装置の放熱ファンの通風路に設置させて、放熱ファンから出た風力によって、ファン支持部材に設置されたファンを作動して回転させ、ファンの回転によって生成された運動エネルギーを電気エネルギーに変換し、且つ電池給電回路を介して電気エネルギーをマイクロ電池に送って、マイクロ電池を充電する。【選択図】図１
2014183732.tif 000002
【特許請求の範囲】
【請求項１】
電池給電装置において、
前記電池給電装置は、ホストと、前記ホストに設置された電池支持部材と、前記電池支持部材に設置されたマイクロ電池と、ファン支持部材と、前記ファン支持部材に設置されたファン及び電池給電回路と、を備え、
前記ファン支持部材は、前記ファンを電子装置の放熱ファンの通風路に設置させて、放熱ファンから出た風力によって、前記ファン支持部材に設置されたファンを作動して回転させ、前記ファンの回転によって生成された運動エネルギーを電気エネルギーに変換し、且つ前記電池給電回路を介して電気エネルギーを前記マイクロ電池に送り、前記マイクロ電池を充電すること
を特徴とする電池給電装置。
【請求項２】
前記ファンは、ケース及び前記ケース内に収容されたモータを備え、
前記モータは、前記電池給電回路と接続される２つの針金を備え、
前記ファン支持部材には、１つの通孔が設けられ、
前記モータの一端は、前記通孔に固定されること
を特徴とする請求項１に記載の電池給電装置。
【請求項３】
前記電池支持部材は、基部と、前記基部に対して垂直に且つ上方に向けて延在された２つの側壁及び前記２つの側壁の間に位置し、且つ前記２つの側壁に接続された固定板と、を備え、
前記２つの側壁は、前記固定板と共に前記マイクロ電池を収容するための収容部を形成し、
前記収容部内には、前記マイクロ電池の正極と電気的に接続する導電板が設けられることを特徴とする請求項２に記載の電池給電装置。
【請求項４】
前記電池支持部材の各側壁の基部と隣接する一端には、ロック溝が設けられ、
前記ファン支持部材は、基板と、前記基板の一端から垂直に延在された接続部と、前記接続部の両端から互いに対向して設けられた２つの係合部とを備え、
前記係合部は、前記電池支持部材のロック溝にロックされて、
前記ファン支持部材は前記電池支持部材上に設置されること
を特徴とする請求項３に記載の電池給電装置。
【請求項５】
前記電池支持部材は、挟み板を備え、
前記挟み板は、前記基部の上表面に接続される底部と、前記底部から前記収容部の方向に沿って延在された弾力部及び前記弾力部における底部側に位置する端とは反対側の端から外部に向けてやや湾曲している接触部と、を備え、
前記接触部は、前記マイクロ電池の負極と電気的に接続されること
を特徴とする請求項３又は４に記載の電池給電装置。
【請求項６】
前記基部の底面には、前記導電板及び前記挟み板とそれぞれ電気的に接続される２つの挿入ピンが設けられ、
前記電池給電回路は、前記２つの挿入ピンを介して、前記マイクロ電池を充電すること
を特徴とする請求項５に記載の電池給電装置。
【請求項７】
前記電池給電装置は、第一バイポーラトランジスタ、第二バイポーラトランジスタ、第三バイポーラトランジスタ、第一可変抵抗、第二可変抵抗及び発光ダイオードを備え、
前記第一バイポーラトランジスタのコレクタ電極は、前記第一可変抵抗を介して、前記電池給電回路の正極の入力端と接続され、更に前記第二可変抵抗を介して、前記第一バイポーラトランジスタのベース電極と接続され、且つ前記第二可変抵抗を介して、前記第一可変抵抗の制御端と接続され、
前記第一バイポーラトランジスタのベース電極はアースし、
前記第一バイポーラトランジスタのエミッタ電極は、前記第一可変抵抗を介してアースし、また、前記第一バイポーラトランジスタのエミッタ電極は、第二バイポーラトランジスタのエミッタ電極と接続され、
前記第二バイポーラトランジスタのベース電極は、前記第二可変抵抗及び第三抵抗を介してアースし、
前記第二バイポーラトランジスタのコレクタ電極は、前記マイクロ電池の正極と接続され、
前記第三抵抗の別の一端は、前記電池給電回路の負極の入力端と接続され、且つ前記マイクロ電池の負極と接続され、
前記第三バイポーラトランジスタのエミッタ電極は、前記電池給電回路の正極の入力端と接続され、
前記第三バイポーラトランジスタのベース電極は、第四抵抗を介して、前記第一バイポーラトランジスタのコレクタ電極と接続され、
前記第三バイポーラトランジスタのコレクタ電極は、第五抵抗を介して、前記発光ダイオードの正極と接続され、
前記発光ダイオードの負極は、前記マイクロ電池の正極と接続されることを特徴とする請求項６に記載の電池給電装置。
【請求項８】
前記電池給電回路の正極と負極は、それぞれ前記モータの正極と負極の針金に接続されることを特徴とする請求項７に記載の電池給電装置。
【請求項９】
前記マイクロ電池の正極と負極は、それぞれ前記挿入ピンと接続されて、前記挿入ピンは、前記マイクロ電池を充電することを特徴とする請求項６〜８のいずれか１項に記載の電池給電装置。
【発明の詳細な説明】
【技術分野】
【０００１】
本発明は、電池給電装置に関し、特にコンピュータホストのマイクロ電池に給電する電池給電装置に関するものである。
【背景技術】
【０００２】
通常、コンピュータホストには、１つのマイクロ電池が設置されている。該マイクロ電池は、システムの日付及び時間を更新し、且つシステムが通電されていない状態の際、システムのデータを記憶装置に保存する。しかし、長時間使用されているコンピュータは、マイクロ電池の電量及び電圧も徐々に減少する。この場合、電池が切れる前にマイクロ電池を交換しなければ、システムの日付及び時間が不正確になってしまうだけでなく、一部のデータも失う恐れがある。
【発明の概要】
【発明が解決しようとする課題】
【０００３】
以上の問題点に鑑みて、本発明は、コンピュータホストのマイクロ電池に長時間給電できる電池給電装置を提供することを目的とする。
【課題を解決するための手段】
【０００４】
上記の課題を解決するために、本発明の電池給電装置は、ホストと、前記ホストに設置された電池支持部材と、前記電池支持部材に設置されたマイクロ電池と、ファン支持部材と、前記ファン支持部材に設置されたファン及び電池給電回路と、を備える。前記ファン支持部材は、前記ファンを電子装置の放熱ファンの通風路に設置させて、放熱ファンから出た風力によって、前記ファン支持部材に設置されたファンを作動して回転させ、前記ファンの回転によって生成された運動エネルギーを電気エネルギーに変換し、且つ前記電池給電回路を介して電気エネルギーを前記マイクロ電池に送って、前記マイクロ電池を充電する。
【発明の効果】
【０００５】
本発明の電池給電装置は、電子装置の放熱ファンから出た風力を利用し、該風力によってファン支持部材に設置されたファンを作動して回転させる。これにより、ファンのモータは、ファンの回転によって生成された運動エネルギーを電気エネルギーに変換し、該電気エネルギーは、電池給電回路を介してマイクロ電池に送られて、マイクロ電池を充電する。これにより、コンピュータのシステムに電量を長時間供給できるため、コンピュータシステムの時間の正確性を維持し、且つシステムのデータの紛失を防止することができる。
【図面の簡単な説明】
【０００６】
【図１】本発明に係る電池給電装置の斜視図である。
【図２】図１に示した電池給電装置の電池支持部材の斜視図である。
【図３】図１に示した電池給電装置のファン支持部材及びファンの斜視図である。
【図４】本発明に係る電池給電装置の電池給電回路図である
【発明を実施するための形態】
【０００７】
以下、図面に基づいて、本発明に係る電池給電装置について詳細に説明する。電池給電装置は、コンピュータで実行され、コンピュータホストのマイクロ電池を充電する。このマイクロ電池は、一定の電量を維持して、システムの時間を更新し、且つシステムのデータを保存することができる。
【０００８】
図１〜図４に示したように、電池給電装置１００は、ホスト１０と、ホスト１０に設置された電池支持部材２１０と、電池支持部材２１０に設置されたマイクロ電池２２０と、ファン支持部材３１０と、ファン支持部材３１０に設置されたファン３２０及び電池給電回路４０と、を備える。ファン支持部材３１０は、ファン３２０をコンピュータの放熱ファン(図示せず)の通風路上に設置する。これにより、放熱ファンから出た風力は、ファン支持部材３１０に設置されたファン３２０を作動して回転させる。この際、ファン３２０のモータ３４０（図３を参照）は、ファン３２０の回転によって生成された運動エネルギーを電気エネルギーに変換し、且つ電池給電回路４０を介して、電気エネルギーをマイクロ電池２２０に送って、マイクロ電池２２０を充電する。
【０００９】
図２に示したように、マイクロ電池２２０は、正極及び負極を備える。電池支持部材２１０は、基部１０１と、基部１０１から該基部１０１に対して垂直に且つ上方に向けて延在した２つの側壁１０２及び２つの側壁１０２の間に位置し、且つ２つの側壁１０２に接続された固定板１０３と、を備える。各側壁１０２の基部１０１に隣接する一端には、ロック溝２０１がそれぞれ設けられている。２つの側壁１０２は、固定板１０３と共にマイクロ電池２２０を収容するための収容部３０２を形成する。収容部３０２内には、マイクロ電池２２０の正極と電気的に接続される導電板３０３が設けられている。基部１０１の底面には、２つの挿入ピン１０５、１０６が設けられ、この２つの挿入ピン１０５、１０６は、ホスト１０の電池給電回路４０と電気的に接続し、また、マイクロ電池２２０を電池支持部材２１０内に固定する際、挿入ピン１０５は、導電板３０３を介して、マイクロ電池２２０の正極と電気的に接続される。電池給電回路４０は、ホスト１０に設置される。
【００１０】
電池支持部材２１０は、挟み板１０４を備え、挟み板１０４は、基部１０１の上表面に接続される底部４０１と、底部４０１から収容部３０２の方向に沿って延在した弾力部４０２及び弾力部４０２における底部４０１側に位置する端とは反対側の端から外部に向けてやや湾曲している接触部４０３と、を備える。接触部４０３は、マイクロ電池２２０の一側と接触し、且つマイクロ電池２２０の負極と電気的に接続される。この際、挟み板１０４は、マイクロ電池２２０を挟み、挟み板１０４の底部４０１は、１つの挿入ピン１０６と電気的に接続される。挟み板１０４の全体は導電金属によって製造されるため、マイクロ電池２２０の負極は、挟み板１０４を介して、１つの挿入ピン１０６と電気的に接続される。
【００１１】
図３に示したように、ファン支持部材３１０は、基板３１１及びロック部３１２を備える。ロック部３１２は、基板３１１の一端から基板３１１に対して垂直に延在した接続部３１３及び接続部３１３の両端からそれぞれ互いに対向するように設けられた２つの係合部３１４を備える。２つの係合部３１４は、電池支持部材２１０のロック溝２０１にそれぞれロックされて、ファン支持部材３１０は電池支持部材２１０上に設置される。ファン３２０は、ケース３３０及びケース３３０内に収容されたモータ３４０を備える。基板３１１には、１つの通孔３１５が設けられ、モータ３４０の一端は、通孔３１５内に固定され、別の一端はケース３３０内に収容される。モータ３４０は、２つの針金３２１を備え、２つの針金３２１は、ホスト１０の電池給電回路４０にそれぞれ接続される。また、ファン３２０は、コンピュータの放熱ファンの通風路（図１の矢印を参照）に設置される。
【００１２】
図４に示したように、電池給電回路４０は、第一バイポーラトランジスタＱ１、第二バイポーラトランジスタＱ２、第三バイポーラトランジスタＱ３、第一可変抵抗Ｗ１、第二可変抵抗Ｗ２及び発光ダイオードＤ１を備える。第一バイポーラトランジスタＱ１は、ＮＰＮバイポーラトランジスタであり、第二バイポーラトランジスタＱ２、Ｑ３は、ＰＮＰバイポーラトランジスタである。第一バイポーラトランジスタＱ１のコレクタ電極は、第一抵抗Ｒ１を介して、電池給電回路４０の正極の入力端と接続され、更に第二抵抗Ｒ２を介して、第一バイポーラトランジスタＱ１のベース電極と接続され、且つ第二抵抗Ｒ２を介して、第一可変抵抗Ｗ１の制御端と接続される。第一バイポーラトランジスタＱ１のベース電極はアースし、第一バイポーラトランジスタＱ１のエミッタ電極は、第一可変抵抗Ｗ１を介してアースする。また、第一バイポーラトランジスタＱ１のエミッタ電極は、第二バイポーラトランジスタＱ２のエミッタ電極と接続され、第二バイポーラトランジスタＱ２のベース電極は、第二可変抵抗Ｗ２及び第三抵抗Ｒ３を介してアースし、第二バイポーラトランジスタＱ２のコレクタ電極は、マイクロ電池２２０の正極と接続される。第三抵抗Ｒ３の別の一端は、電池給電回路４０の負極の入力端と接続され、且つマイクロ電池２２０の負極と接続される。第三バイポーラトランジスタＱ３のエミッタ電極は、電池給電回路４０の正極の入力端と接続され、第三バイポーラトランジスタＱ３のベース電極は、第四抵抗Ｒ４を介して、第一バイポーラトランジスタＱ１のコレクタ電極と接続され、第三バイポーラトランジスタＱ３コレクタ電極は、第五抵抗Ｒ５を介して、発光ダイオードＤ１の正極と接続される。発光ダイオードＤ１の負極は、マイクロ電池２２０の正極と接続される。電池給電回路４０の正極と負極の入力端は、それぞれモータ３４０の２つの針金３２１にそれぞれ接続されて、電気エネルギーを取得する。マイクロ電池２２０の正極と負極の入力端は、それぞれ挿入ピン１０５、１０６に接続され、挿入ピン１０５、１０６は、マイクロ電池２２０に充電する。
【００１３】
コンピュータが作動すると、ケース３３０は、コンピュータの放熱システムの風力によって作動し、且つモータ３４０を回転させる。これにより、モータ３４０は、ケース３３０の回転によって生成された運動エネルギーを電気エネルギーに変換し、且つ電気エネルギーを電池給電回路４０の正極と負極の入力端に送る。これにより、バイポーラトランジスタＱ１〜Ｑ３は通電し、発光ダイオードＤ１は発光して電池の給電を表示する。次いで、第一可変抵抗Ｗ１を介して、第一バイポーラトランジスタＱ１のコレクタ電極の電圧が設定され、第三バイポーラトランジスタＱ３のコレクタ電極とエミッタ電極との間には、一定した電圧が保たれるため、電圧が高すぎて発光ダイオードＤ１が損傷するのを防止することができる。マイクロ電池２２０の電気が満量になると、第二可変抵抗Ｗ２を調整して、第二バイポーラトランジスタＱ２のコレクタ電極とエミッタ電極との間の電圧を０Ｖにする。これにより、マイクロ電池２２０の通電は停止され、この際、発光ダイオードＤ１の負極の電圧は、正極の電圧より高くなり、発光ダイオードＤ１は発光しない。従って、マイクロ電池２２０は、コンピュータのシステムに電量を長時間供給して、コンピュータシステムの時間の正確性を維持し、且つシステムのデータの紛失を防止することができる。
【符号の説明】
【００１４】
１００  電池給電装置
１０  ホスト  
４０  電池給電回路
２１０  電池支持部材
２２０  マイクロ電池
１０１  基部
１０２  側壁
１０３  固定板
３０２  収容部
２０１  ロック溝
３０３  導電板
１０４  挟み板
１０５、１０６  挿入ピン
４０１  底部
４０２  弾力部
４０３  接触部
３１０  ファン支持部材
３２０  ファン
３３０  ケース
３４０  モータ
３１１  基板
３１２  ロック部
３１３  接続部
３１４  係合部
３１５  通孔
３２１  針金
Ｑ１  第一バイポーラトランジスタ
Ｑ２  第二バイポーラトランジスタ
Ｑ３  第三バイポーラトランジスタ
Ｗ１  第一可変抵抗
Ｗ２  第二可変抵抗
Ｒ１  第一抵抗
Ｒ２  第二抵抗
Ｒ３  第三抵抗
Ｒ４  第四抵抗
Ｒ５  第五抵抗
Ｄ１  発光ダイオード
【図１】
2014183732.tif 000003
【図２】
2014183732.tif 000004
【図３】
2014183732.tif 000005
【図４】
2014183732.tif 000006